(57)【要約】【課題】補助錠を室外側からも操作できるようにする。【解決手段】サッシの引戸１２に、室内側に向かって出没可能なストッパ１０とスライド可能な連動板１を設ける。前記ストッパ１０は支軸９回りに回転可能であり、そのストッパ１０に設けた摺動ピン３が、前記連動板１に設けた長溝２に係合する。長溝２は、前記支軸９の軸回りに徐々に近づく形態であり、その両端の係止部２ａでは摺動ピン３が拘束されてストッパ１０の回転を規制する。引戸１２には室内側、室外側に向く各開閉機構Ｒ，Ｔが設けられ、いずれかを操作して連動板１をスライドさせれば、前記係合を介してストッパ１０を出没させることができる。室内側開閉機構Ｒによる連動板１のスライドは、キー操作によりロックできるようになっており、このロックの際にも室外側開閉機構Ｔは常に操作可能であるので、建物内の不特定多数の者が補助錠を操作することを禁止しつつ、室外側からは常に解錠できる。【選択図】図１
2006063619.tif 000002
【特許請求の範囲】
【請求項１】
サッシの引戸１２に、室内側に向かって出没可能なストッパ１０を設け、前記引戸１２には室内側に向く開閉機構Ｒを設けるとともに、その室内側開閉機構Ｒを操作することによりストッパ１０を突出させて、前記引戸１２、あるいは前記引戸１２とそれに隣接する他の引戸１１の移動を規制するサッシ用補助錠において、
前記引戸１２に、その引戸１２の室外側に向く開閉機構Ｔを設け、その室外側開閉機構Ｔを操作することによりストッパ１０を出没可能としたことを特徴とするサッシ用補助錠。
【請求項２】
前記引戸１２に、その引戸１２の面方向に沿ってスライドする連動板１を設け、前記ストッパ１０は、前記引戸１２に設けられた支軸９を介して、その支軸９の軸回りに回転可能に取り付けられて、前記ストッパ１０に設けた摺動ピン３が、前記連動板１に設けた長溝２に係合して、その長溝２は、前記支軸９の軸回りに徐々に近づくようになっており、
前記室外側開閉機構Ｔを操作して前記連動板１をスライドさせることにより、前記係合を介して前記ストッパ１０を前記支軸９の軸回りに回転させて、前記ストッパ１０が出没することを特徴とする請求項１に記載のサッシ用補助錠。
【請求項３】
前記長溝２は、その中央部に前記面方向に交差する方向の摺動部２ｂを有し、その両端部には、前記ストッパ１０の突出状態、没入状態において摺動ピン３が位置する係止部２ａを有し、前記両係止部２ａに摺動ピン３が位置する際には、前記摺動ピン３が長溝２に拘束されて前記ストッパ１０の支軸９の軸回り回転を規制することを特徴とする請求項２に記載のサッシ用補助錠。
【請求項４】
前記室内側開閉機構Ｒは、前記連動板１を介して前記ストッパ１０を出没させるものであるとともに、その操作を選択的にロックできるようになっており、前記連動板１は、そのロックの有無にかかわらず常に室外側開閉機構Ｔにより操作可能であることを特徴とする請求項３に記載のサッシ用補助錠。
【請求項５】
前記室内側開閉機構Ｒは、室内側に鍵穴を有するシリンダ錠１５とともに回転する室内側操作板１６が、前記連動板１の溝部４に係止するとともに、その係止状態で室内側操作板１６が回転することにより前記連動板１をスライドさせるものであり、その室内側操作板１６と溝部４との係止は、前記室内側開閉機構Ｒの前記ロック状態では解除されることを特徴とする請求項４に記載のサッシ用補助錠。
【発明の詳細な説明】
【技術分野】
【０００１】
この発明は、引戸構造を有するサッシ等に用いられる補助錠に関するものである。
【背景技術】
【０００２】
いわゆる引戸構造を有するサッシの引戸には、通常、クレセント錠が取付けられている。サッシを完全に閉じた際には、このクレセント錠を介して、室内側から隣合う引戸同士、又は、引戸と窓枠とを係止して、その引戸を動かないようにロックすることができる。
【０００３】
しかし、このように引戸を完全に閉じた状態でロックしてしまうと、室内は換気ができない状態となる。このため、引戸を換気用のわずかな隙間だけ開放するとともに、人が侵入できないように、それ以上の開放を止める各種補助錠が必要に応じて取り付けられる。
【０００４】
その補助錠として、例えば、本発明の実施例の説明図である図２に示すように、サッシの引戸側面に取り付けたケース内にストッパを設け、そのストッパを上下方向の支軸により支持してシーソー式に回動自在としたものがある。この補助錠によれば、室内側からの操作によりストッパが室内側へ突出すると、隣接する引戸がそのストッパに当たるようになる。このため、その引戸及び隣接する引戸は一定開度以上開かなくなる。また、逆に、突出したストッパを前記ケース内に没入させれば、サッシの両引戸は自由に開閉できるようになる（例えば、特許文献１参照）。
【特許文献１】特開２００２−４６７１号公報
【０００５】
なお、この種の補助錠には、必要に応じて、前記ストッパ出没の操作ができないようにロックする機構が付加される。これは、その建物の構造や室内の用途、あるいは周辺環境等の事情により、不特定多数の者がこの補助錠を操作すると不都合である場合などがあるからである。
【０００６】
そのロック機構としては、例えば、同じく特許文献１に記載の補助錠は、前述のシーソー式のストッパにおいて、室内側に設けたシリンダ錠の操作により、そのストッパにロック片が係脱するようになっており、そのロック片がストッパに係合すると、ストッパの突出状態（施錠状態）、没入状態（解錠状態）いずれの状態にあっても、その状態でストッパが動かないようにロックされるものである。このため、シリンダ錠の鍵を所持する者のみがそのストッパのロックを解除でき、また、そのロックが解除されていない状態で、ストッパを押し込んだり引いたりしてもストッパは動かず、前記施錠状態又は解錠状態が維持される。
【発明の開示】
【発明が解決しようとする課題】
【０００７】
しかし、上記補助錠は、ストッパが室内側に突出するものであり、またその開閉機構、ロック機構等も室内側からのみ操作し得るものであるため、いかなる者も室外側からストッパを操作することができない。ストッパは、引戸を僅かに開放した隙間から比較的遠い部分にあるため、その隙間から手を差し入れても届かないからである。このため、例えば多数の部屋を有する建物（例えば、寄宿舎や病院、その他施設など）において、各部屋にバルコニー側から資材を一斉に搬入出する場合等には、サッシを開放するために、予めすべての部屋の補助錠を解錠しておかなければならない。解錠のために、一つ一つの部屋の扉を開けて入室することは、相当な時間を要するので合理的でなく不便である。
【０００８】
また、非常時には、鍵の所持者が、各部屋の補助錠を解錠する時間の余裕がないので、シリンダ錠の鍵を所持しない者は、各々室内側の所定の非常口を利用するか、あるいは、窓ガラスを割って脱出しなければならない事態をも生じ得る。窓ガラスを割ることは危険である。このため、できればサッシの補助錠を室外側からも操作できるようにして、外壁、バルコニー、テラス等を伝ってすべての部屋の補助錠を短時間で解錠できることが望ましい。
【０００９】
そこで、この発明は、補助錠を室外側からも操作できるようにすることを課題とする。
【課題を解決するための手段】
【００１０】
上記の課題を解決するために、この発明は、室内側で操作するサッシの引戸の補助錠を、室外側からも操作できるように、その引戸の室外側に向く開閉機構を設けたのである。このようにすれば、補助錠を室外側からも操作できるので、例えば、一つ一つの部屋に入室することなく、建物のバルコニー等に沿って移動して隣接する各部屋のサッシの引戸を次々と解錠して、すべての解錠を短時間で完了することも可能である。
【発明の効果】
【００１１】
この発明は、以上のようにしたので室外側から補助錠を操作でき、多くの補助錠を短時間で解錠できる。
【発明を実施するための最良の形態】
【００１２】
上記手段の具体的実施形態は、サッシの引戸に、室内側に向かって出没可能なストッパを設け、前記引戸には室内側に向く開閉機構を設けるとともに、その室内側開閉機構を操作することによりストッパを突出させて、前記引戸、あるいは前記引戸とそれに隣接する他の引戸の移動を規制するサッシ用補助錠において、前記引戸には、その引戸の室外側に向く開閉機構を設け、その室外側開閉機構を操作することによりストッパを出没可能としたものである。
【００１３】
このようにすれば、各部屋のサッシにクレセント錠を施錠せず、補助錠のみ施錠してサッシに換気用隙間のみを開放可能とした状態において、室外側、例えば、バルコニー等を通じて外壁に沿って移動しながら、その各部屋の補助錠を、その室外側開閉機構を介して次々と解錠できるので、短時間で効率的に解錠して全部屋のサッシ全開が可能となる。
【００１４】
また、そのストッパを出没させるための具体的実施形態としては、前記引戸に、その引戸の面方向に沿ってスライドする連動板を設け、前記ストッパは、前記引戸に設けられた支軸を介して、その支軸の軸回りに回転可能に取り付けられて、前記ストッパに設けた摺動ピンが、前記連動板に設けた長溝に係合するようにする。また、その長溝は、前記支軸の軸回りに徐々に近づくようにする。そして、前記室外側開閉機構を操作して連動板をスライドさせることにより、前記係合を介して前記ストッパを前記支軸の軸回りに回転させて、前記ストッパが出没するようにした構成を採用し得る。
【００１５】
このようにすれば、連動板のスライドによる横方向の動きを、ストッパの支軸回りの回転運動に変換して、そのストッパの出没を制御し得る。また、開閉操作のストロークが前記引戸の面方向であるため、ストッパを動作させる機構を引戸の厚さ方向に大型化することなく、そのサッシ内に収納しやすいものとし得る。
【００１６】
そのストッパと連動板との係止の具体的実施形態としては、前記長溝は、その中央部に前記面方向に交差する方向の摺動部を有し、その両端部には、前記ストッパの突出状態、没入状態において摺動ピンが位置する係止部を有するものとする。そして、その両係止部に摺動ピンが位置する際には、前記摺動ピンが長溝に拘束されて前記ストッパの支軸の軸回り回転を規制するようにした構成を採用し得る。このようにすれば、いずれかの開閉機構を操作しない限り、ストッパは出没動作しないように固定することができる。
【００１７】
また、その室内側開閉機構を、前記連動板を介して前記ストッパを出没させるものとして、その操作を選択的にロックできるようにし、前記連動板は、そのロックの有無にかかわらず常に室外側開閉機構により操作可能とした構成を採用し得る。このようにすれば、建物内の不特定多数の者が補助錠を操作することを禁止しつつ、且つ、室外側からは必要に応じて補助錠を解錠できるので便利である。また、一つの連動板を室内側、室外側の両開閉機構の動作に共用して使用することができるので、補助錠の構造が簡単になる。
【００１８】
さらに、この連動板を、常に室外側から操作可能とするための実施形態として、例えば、前記室内側開閉機構の構成を、室内側に鍵穴を有するシリンダ錠とともに回転する室内側操作板が、前記連動板の溝部に係止するものとする。その係止状態で室内側操作板が回転することにより前記連動板をスライドさせるようにし、また、その室内側操作板と溝部との係止は、前記室内側開閉機構のロック状態では解除されるようにした構成を採用し得る。この構成によれば、室外側からの操作を拘束しないようにするために、複雑な機構を要しない。
【実施例】
【００１９】
一実施例を図１乃至図５に示す。この実施例のサッシ用補助錠は、図２に示すように、走行レール１１ａ，１２ａに沿ってスライドする内外二枚の引戸１１，１２のうち、室外側に位置する外側引戸１２に設けられて、室内側に向かって出没するストッパ１０を有するものである。
【００２０】
そのストッパ１０は、前記外側引戸１２の室内側側面の開口に、ビス８を介して取り付けたケース７内に、図２に示すように、上下方向の支軸９により支持されてシーソー式に回動自在としている。支軸９は、図１に示すカバー６の孔６ｂ、ケース７の孔、ストッパ１０の孔１０ｄに回転自在に挿通される。その回動により、ストッパ１０は、図４（ｂ）に示す右側の端部、すなわち、サッシを完全に閉めた状態において内側引戸１１側に位置する端部が、室内側へ向かって突出する（以下、施錠状態という）。この施錠状態において、内側引戸１１を僅かに開放すると、その内側引戸１１の側端縁がストッパ１０の端面１０ａに当たって、その内側引戸１１はそれ以上開放ができないようになり、同時に、外側引戸１２も開放できないように拘束される。逆に、前記回動により、室内側へ突出した前記ストッパ１０をサッシ内に没入させれば（以下、解錠状態という）、図３（ｂ）に示すように、前記ストッパ１０の室外側の側面１０ｂがケース７の底部に至って、室内側の側面１０ｃは前記外側引戸１２の室内側側面に沿ってフラットになる位置に至り、サッシの内外両引戸１１，１２は自由に開閉できるようになる。
【００２１】
このストッパ１０の出没は、前記ケース７に対してスライド可能に設けられた連動板１を介して操作されるようになっている。この連動板１は、図１に示すように、室内側に向く開閉機構Ｒ、又は、室外側へ向く開閉機構Ｔの操作により、前記外側引戸１２の移動方向に沿ってスライドできるようになっている。
【００２２】
その室内側開閉機構Ｒは、図５（ｂ）に示すように、室内側に鍵穴を有するシリンダ錠１５と、そのシリンダ錠１５の鍵穴に差し込まれたキーの回転操作（図中Ｂ参照）に連動して回転する円板状の室内用操作板１６とを有している。その室内用操作板１６は、図１に示すように、ケース７に形成された円形の凹部１８に嵌め込まれており、シリンダ錠１５は、その凹部１８内の貫通孔１７に挿入される。その室内用操作板１６の室内側面に設けた孔１６ａにシリンダ錠１５のスプリングピン１５ａが嵌って、室内用操作板１６は、そのシリンダ錠１５とともに回転するようになっており、また、その室内用操作板１６の室外側面に設けた突部１６ｂが、連動板１に設けた上方開口の溝部４に収納されている。突部１６ｂは、室内用操作板１６の回転中心から外れた位置にあるので、その室内用操作板１６の回転に伴って横方向（連動板１のスライド方向）へと移動する。このため、その室内用操作板１６の回転により、突部１６ｂが前記溝部４内を横方向へと移動すると、図３（ａ）及び図４（ａ）に示すように、その突部１６ｂは、前記溝部４の左側壁４ａまたは右側壁４ｂに当接する。この当接により、連動板１と室内用操作板１６とは、その溝部４の左側壁４ａまたは右側壁４ｂを介して係止される。さらに室内用操作板１６が回転を続けると、連動板１は、その突部１６ｂが、前記左側壁４ａまたは右側壁４ｂを押して、図５（ａ）に実線又は鎖線で示すように、連動板１をその方向へとスライドさせるようになっている。
【００２３】
一方、室外側開閉機構Ｔは、図５（ｂ）に示すように、連動板１の室内側に位置する円板状の室外用操作板２６と、その室外用操作板２６から前記外側引戸１２内を室外側に向かって伸びて、前記外側引戸１２の室外側側面に露出する回転軸２１を有する延長部材２０とからなる。室外用操作板２６は、図１に示すように、ケース７に形成された円形の凹部２３に嵌め込まれており、その室外用操作板２６の室内側面に設けた突部２６ａが、前記凹部２３内の弧状の長溝２４に収納されている。また、その室外用操作板２６の室外側面の中心部には突部２６ｃが設けられて、連動板１の溝部５に収納されるとともに、カバー６前面の孔６ａから室外側へ露出するようになっている。また、その室外用操作板２６の回転中心から外れた位置には、別の突部２６ｂが設けられて、図５（ａ）に示すように、前記溝部５の上方の左右側壁５ａ，５ｂ間に挟まれた状態に収納されている。
【００２４】
前記延長部材２０の回転軸２１は、その室内側端の爪２２が、前記連動板１の溝部５に嵌め込まれた前記室外用操作板２６の突部２６ｃに噛み合っており、回転軸２１の回転とともに、室外用操作板２６を回転可能としている。また、その回転軸２１の室外側端には、その回転軸２１を室外側から回転操作可能なように溝２１ａが形成されている。この回転軸２１を回転（図中Ａ参照）することにより、前記室外用操作板２６は回転し、前記突部２６ｂが、前記左側壁５ａまたは右側壁５ｂを押して連動板１をその方向へとスライドさせるようになっている。なお、室外用操作板２６の回転は、前記突部２６ａが前記弧状の溝部２４に収納されているため、一定の方位内でその回転が制限されている。
【００２５】
次に、前記連動板１と前記ストッパ１０とは、図１に示すように、そのストッパ１０の孔１０ｅに挿通された摺動ピン３と、連動板１の係合部１４に設けた長溝２を介して係合する。長溝２は、その中央部にサッシの引戸の面方向に交差する方向の摺動部２ｂを有し、その両端部には、それぞれサッシのスライド方向に平行に形成された係止部２ａを有している。この長溝２の構成は、図中右側端部の係止部２ａから、図中左側端部の係止部２ａへと向かうにしたがい、前記支軸９の軸回りに徐々に近づく構成となっている。
【００２６】
この長溝２に収納された摺動ピン３は、前記連動板１のスライドとともに長溝２に沿って移動し、前記外側引戸１２の厚さ方向に向く摺動部２ｂを通過する際に、図３（ｂ）から図４（ｂ）に示すように、その摺動ピン３を前記厚さ方向へと移動させる。このように、摺動ピン３が引戸厚さ方向へ移動することに伴い、前記ストッパ１０が前記支軸９回りに所定角度、すなわち前記施錠状態と解錠状態との間の方位で回転するようになっている。
【００２７】
なお、このストッパ１０の回転により、ストッパ１０の位置が前記施錠状態、あるいは解錠状態となった場合において、摺動ピン３は、長溝２両端部の前記係止部２ａに収納されて、その摺動ピン３が長溝２内で前記厚さ方向に動かないように拘束される。このため、前記ストッパ１０を、この状態で室内側から押し込んだり引いたりしても出没動作することはなく、連動板１をスライドさせない限り、その支軸９回りの回転は規制されている。
【００２８】
この補助錠の作用を説明すると、ストッパ１０を室内側からの操作により施錠する際には、まず、図２に矢印Ｂに示すように、シリンダ錠１５の鍵穴にキーを差し込んで、そのキー操作によりシリンダ錠１５を回転操作する。その回転に連動して、前記室内用操作板１６も同方向へ回転する。
【００２９】
前記室内用操作板１６の回転に伴い、前記突部１６ｂが、図３（ａ）に示す上方に位置する状態（以下、中立状態という）から、前記溝部４の右側壁４ｂを図中の右方向へと押して、連動板１を図５に実線で示す状態へと移行させる。連動板１が右方向へスライドすることにより、前記ストッパ１０は、前記摺動ピン３と長溝２との摺動により、支軸９回りに回転して室内側へと押し出され、前記外側引戸１２の室内側面から突出して施錠状態に移行する。この操作の過程において、前記室外側開閉機構Ｔは、連動板１のスライドを拘束していないので、その連動板１の動きとともに同調して前記室外用操作板２６も回転している。なお、この施錠状態でストッパ１０をロックする（連動板１を操作できないようにする）際には、前記キー操作によりシリンダ錠１５を回転させて突部１６ｂを中立状態に戻し、その状態でキーの抜き取りができるようにする。前記突部１６ｂを前記右側壁４ｂから離すことにより、連動板１との係止を解除しておくためである。この中立状態においても、前記摺動ピン３が前記長溝２内で拘束されているので、ストッパ１０は、施錠状態で動かないようにロックされている。
【００３０】
逆に、ストッパ１０を室内側からの操作により解錠する際には、図２の矢印Ｂの反対方向へとシリンダ錠１５を回転操作する。その回転に連動して、前記室内用操作板１６も同方向へ回転する。
【００３１】
前記室内用操作板１６の回転に伴い、前記突部１６ｂが、図４（ａ）に示す中立状態から、前記溝部４の左側壁４ａを図中の左方向へと押して、連動板１を図５（ａ）に鎖線で示す状態へと移行させる。連動板１が左方向へスライドすることにより、前記ストッパ１０は、前記摺動ピン３と長溝２との摺動により、支軸９回りに回転して室外側へと戻され、ケース７内に収納されて解錠状態となる。この操作の過程においても、前記室外側開閉機構Ｔは、連動板１のスライドを拘束していないので、その連動板１の動きとともに同調して前記室外用操作板２６も回転している。また、この解錠状態でストッパ１０をロックする際に、前記突部１６ｂを中立状態に戻しておくことは、前述の施錠状態の場合と同様である。この中立状態においても、前記摺動ピン３が前記長溝２内で拘束されているので、ストッパ１０は、解錠状態で動かないようにロックされている。
【００３２】
次に、ストッパ１０を室外側からの操作により施錠する際には、まず、図２に矢印Ａに示すように、延長部材２０の回転軸２１の溝２１ａにドライバやコイン等を差し込んで、その回転軸２１を回転操作する。その回転に連動して、前記室外用操作板２６も同方向へ回転する。
【００３３】
前記室外用操作板２６の回転に伴い、前記突部２６ｂが、図３（ａ）に示すように、突部２６ｃの左上方に位置する状態から、図４（ａ）に示すように、右上方に位置する状態へと移動する。この移動により、突部２６ｂは、前記右側壁５ｂを図中の右方向へと押して、連動板１を右方向へとスライドさせる。このスライドにより、前記ストッパ１０は、前記摺動ピン３と長溝２との摺動により、支軸９回りに回転して室内側へと押し出され、図４（ｂ）に示す施錠状態に移行する。この操作の過程において、前記室内側開閉機構Ｒは、前記突部１６ｂが中立状態となって連動板１に係止していないので、この室外側開閉機構Ｔの操作による連動板１の動きを拘束しないようになっている。
【００３４】
逆に、ストッパ１０を室外側からの操作により解錠する際には、図２の矢印Ａの反対方向へと延長部材２０を回転操作する。その回転に連動して、前記室外用操作板２６も同方向へ回転する。
【００３５】
前記室外用操作板２６の回転に伴い、前記突部２６ｂが、図４（ａ）に示すように、突部２６ｃの右上方に位置する状態から、図３（ａ）に示すように、左上方に位置する状態へと移動する。この移動により、突部２６ｂは、前記左側壁５ａを図中の左方向へと押して、連動板１を左方向へとスライドさせる。このスライドにより、前記ストッパ１０は、前記摺動ピン３と長溝２との摺動により、支軸９回りに回転して室外側へと戻され、図３（ｂ）に示す解錠状態に移行する。この操作の過程において、前記室内側開閉機構Ｒは、同じく、前記突部１６ｂが中立状態となって連動板１に係止していないので、この室外側開閉機構Ｔの操作による連動板１の動きを拘束しないようになっている。
【００３６】
なお、この連動板１のスライドにおいて、ストッパ１０が前記施錠状態、解錠状態に至ると、ケース７内の孔２５ａに嵌め込んだボールプランジャ２５が、連動板１に設けた対の孔１９，１９のいずれかに嵌るので、連動板１がその位置で位置決めされて、僅かな力のみでは動きにくいように固定される。このため、振動等による不用意な連動板１の動きを防止することができる。
【００３７】
なお、この実施例では、室外側開閉機構Ｔとして、前記連動板１を円板状の室外用操作板２６を介して操作できるようにしたが、この実施例の室外側開閉機構Ｔには限定されず、他の実施例として、例えば、図６に示す態様も考えられる。図６に示す室外側開閉機構Ｔは、連動板１に形成した前記左側壁５ａ，右側壁５ｂを有する孔に、前記延長部材２０を構成する軸２１の爪２２が直接に差し込まれており、この軸２１を、図６（ｂ）の矢印で示す方向、あるいはその逆方向に、引戸１２のスライド方向に沿って移動させることにより、その爪２２が前記左側壁５ａ，右側壁５ｂを押して前記連動板１をスライドさせるものである。
【００３８】
また、この延長部材２０は、いずれの態様においても、補助錠を取り付ける引戸１２の厚さに対応する長さのものを採用することが望ましい。延長部材２０を操作するためには、その室外側端部が、図３乃至図６に示すように引戸１２の室外側面に露出するか、あるいは、その室外側面の内側に位置していても、前記カバー６前面に設けた孔６ａ等を介して室外側から操作しやすい位置にあることが必要だからである。このため、種々のタイプの引戸１２へ補助錠を取り付けるためには、その各引戸１２の厚さの差異に対応できるよう、長さの異なる軸２１をいくつか用意しておけば、選択的に使用できるので便利である。
【００３９】
また、室内側開閉機構Ｒの態様についても、この実施例には限定されない。例えば、室内側開閉機構Ｒの前記室内用操作板１６と、前記連動板１との係止は、前記突部１６ｂが中立状態に移行することにより解除されるが、その係合解除は、前記シリンダ錠１５、又は室内用操作板１６が連動板１の直角方向に適宜進退することにより解除されるものであってもよい。すなわち、室外側開閉機構Ｔの操作時に、連動板１が所定の範囲でスライドすることを拘束しないものであれば、自由なものが採用できる。このため、そのロック機構もシリンダ錠１５に限定されるものではない。
【００４０】
なお、この補助錠を設置するサッシは、実施例に示す引き違い構造の引戸のみならず、片引戸構造の引戸であってもよいのはいうまでもない。
【図面の簡単な説明】
【００４１】
【図１】一実施例の要部分解斜視図
【図２】同実施例の作用を説明する概略図
【図３】同実施例の解錠状態を示し、（ａ）は切断正面図、（ｂ）は切断平面図
【図４】同実施例の施錠状態を示し、（ａ）は切断正面図、（ｂ）は切断平面図
【図５】図４の要部拡大図であり、（ａ）は切断正面図、（ｂ）は切断平面図
【図６】他の実施例を示し、（ａ）は切断正面図、（ｂ）は切断平面図
【符号の説明】
【００４２】
１  連動板
２  長溝
２ａ  係止部
２ｂ  摺動部
３  摺動ピン
４，５  溝部
４ａ，５ａ  左側壁
４ｂ，５ｂ  右側壁
６  カバー
６ａ，６ｂ  孔
７  ケース
８  ビス
９  支軸
１０  ストッパ
１０ａ  端面
１０ｄ，１０ｅ  孔
１１，１２  引戸
１５  シリンダ錠
１５ａ  スプリングピン
１６  室内用操作板
１６ｂ  突部
２０  延長部材
２１  軸
２５  ボールプランジャ
２６  室外用操作板
２６ａ，２６ｂ，２６ｃ  突部
Ｒ  室内側開閉機構
Ｔ  室外側開閉機構
【図１】
2006063619.tif 000003
【図２】
2006063619.tif 000004
【図３】
2006063619.tif 000005
【図４】
2006063619.tif 000006
【図５】
2006063619.tif 000007
【図６】
2006063619.tif 000008